【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
スコープ先端部に設置され、撮像クロックに基づいて画像を撮像する撮像素子と、
前記撮像素子が撮像した前記画像の画像処理を行い、表示クロックに基づいて当該画像をモニタに表示させる画像プロセッサ部と、
前記スコープ先端部と前記画像プロセッサ部との間のデータの転送を行うスコープケーブル部と、
源発振クロックを生成するクロック発振器と、
前記源発振クロックを（自然数／自然数）倍に逓倍および／または分周し、前記撮像クロックの周波数よりも低い周波数かつ垂直同期信号の周波数の自然数倍の周波数である伝送クロックを生成する逓倍分周回路と、
を備えることを特徴とする電子内視鏡装置。
【請求項２】
前記伝送クロックを（自然数／自然数）倍に逓倍および／または分周して必要な周波数を生成する第２の逓倍分周回路を備え、
前記撮像クロックまたは前記表示クロックは、前記源発振クロックから生成される
ことを特徴とする請求項１に記載の電子内視鏡装置。
【請求項３】
前記クロック発振器は前記スコープ先端部に設置され、
前記逓倍分周回路は前記スコープ先端部に設置され、前記撮像クロックと前記伝送クロックとを生成し、
前記第２の逓倍分周回路は前記画像プロセッサ部に設置され、前記表示クロックを生成する
ことを特徴とする請求項２に記載の電子内視鏡装置。
【請求項４】
前記逓倍分周回路は、前記源発振クロックを（自然数／自然数）倍に逓倍および／または分周して前記撮像クロックを生成し、
前記第２の逓倍分周回路は、前記伝送クロックを（自然数／自然数）倍に逓倍および／または分周して前記表示クロックを生成する
ことを特徴とする請求項３に記載の電子内視鏡装置。
【請求項５】
前記表示クロックから前記画像の表示用の表示垂直同期信号を生成する表示同期信号生成部を備え、
前記スコープケーブル部は、前記伝送クロックと前記表示垂直同期信号とを前記画像プロセッサ部から前記スコープ先端部に伝送する
ことを特徴とする請求項３に記載の電子内視鏡装置。
【請求項６】
前記表示垂直同期信号の生成タイミングより、前記スコープケーブル部の伝送遅延時間と前記画像プロセッサ部での処理時間とを合わせた時間以上先行して、前記撮像クロックから前記画像の撮像用の撮像垂直同期信号を生成する撮像同期信号生成部
を備えることを特徴とする請求項５に記載の電子内視鏡装置。
【請求項７】
前記撮像クロックから前記画像の撮像用の撮像垂直同期信号を生成する撮像同期信号生成部を備え、
前記スコープケーブル部は、前記伝送クロックと前記撮像垂直同期信号とを前記スコープ先端部から前記画像プロセッサ部に伝送する
ことを特徴とする請求項３に記載の電子内視鏡装置。
【請求項８】
前記撮像垂直同期信号の生成タイミングより、前記スコープケーブル部の伝送遅延時間と前記画像プロセッサ部での処理時間とを合わせた時間以上遅らせて、前記表示クロックから前記画像の表示用の表示垂直同期信号を生成する表示同期信号生成部
を備えることを特徴とする請求項７に記載の電子内視鏡装置。
【請求項９】
前記クロック発振器は前記画像プロセッサ部に設置され、
前記逓倍分周回路は前記画像プロセッサ部に設置され、前記表示クロックと前記伝送クロックとを生成し、
前記第２の逓倍分周回路は前記スコープ先端部に設置され、前記撮像クロックを生成する
ことを特徴とする請求項２に記載の電子内視鏡装置。
【請求項１０】
前記逓倍分周回路は、前記源発振クロックを（自然数／自然数）倍に逓倍および／または分周して前記表示クロックを生成し、
前記第２の逓倍分周回路は、前記伝送クロックを（自然数／自然数）倍に逓倍および／または分周して前記撮像クロックを生成する
ことを特徴とする請求項９に記載の電子内視鏡装置。
【請求項１１】
前記表示クロックから前記画像の表示用の表示垂直同期信号を生成する表示同期信号生成部を備え、
前記スコープケーブル部は、前記伝送クロックと前記表示垂直同期信号とを前記画像プロセッサ部から前記スコープ先端部に伝送する
ことを特徴とする請求項９に記載の電子内視鏡装置。
【請求項１２】
前記表示垂直同期信号の生成タイミングより、前記スコープケーブル部の伝送遅延時間と前記画像プロセッサ部での処理時間とを合わせた時間以上先行して、前記撮像クロックから前記画像の撮像用の撮像垂直同期信号を生成する撮像同期信号生成部
を備えることを特徴とする請求項１１に記載の電子内視鏡装置。
【請求項１３】
前記撮像クロックから前記画像の撮像用の撮像垂直同期信号を生成する撮像同期信号生成部を備え、
前記スコープケーブル部は、前記伝送クロックと前記撮像垂直同期信号とを前記スコープ先端部から前記画像プロセッサ部に伝送する
ことを特徴とする請求項９に記載の電子内視鏡装置。
【請求項１４】
前記撮像垂直同期信号の生成タイミングより、前記スコープケーブル部の伝送遅延時間と前記画像プロセッサ部での処理時間とを合わせた時間以上遅らせて、前記表示クロックから前記画像の表示用の表示垂直同期信号を生成する表示同期信号生成部
を備えることを特徴とする請求項１３に記載の電子内視鏡装置。
【請求項１５】
前記撮像垂直同期信号と前記表示垂直同期信号とは同一周波数となるように生成する
ことを特徴とする請求項８または請求項１４に記載の電子内視鏡装置。
【請求項１６】
前記源発振クロックから逓倍分周回路にて逓倍および／または分周して生成された受信クロックに基づき、前記撮像素子が撮像した前記画像を前記スコープ先端部から受信するデータ受信回路
を備えることを特徴とする請求項２に記載の電子内視鏡装置。
【請求項１７】
前記伝送クロックから第２逓倍分周回路にて逓倍および／または分周して生成された送信クロックに基づき、前記撮像素子が撮像した前記画像を前記画像プロセッサ部に送信するデータ送信回路
を備え、
前記送信クロックと前記受信クロックは、周波数が等しい
ことを特徴とする請求項１６に記載の電子内視鏡装置。
【手続補正２】
【補正対象書類名】明細書
【補正対象項目名】００１０
【補正方法】変更
【補正の内容】
【００１０】
本発明は、スコープ先端部に設置され、撮像クロックに基づいて画像を撮像する撮像素子と、前記撮像素子が撮像した前記画像の画像処理を行い、表示クロックに基づいて当該画像をモニタに表示させる画像プロセッサ部と、前記スコープ先端部と前記画像プロセッサ部との間のデータの転送を行うスコープケーブル部と、源発振クロックを生成するクロック発振器と、前記源発振クロックを（自然数／自然数）倍に逓倍および／または分周し、前記撮像クロックの周波数よりも低い周波数かつ垂直同期信号の周波数の自然数倍の周波数である伝送クロックを生成する逓倍分周回路と、を備えることを特徴とする電子内視鏡装置である。
【手続補正３】
【補正対象書類名】明細書
【補正対象項目名】００２４
【補正方法】変更
【補正の内容】
【００２４】
また、本発明の電子内視鏡装置において、前記撮像垂直同期信号と前記表示垂直同期信号とは同一周波数となるように生成することを特徴とする。
また、本発明は、前記源発振クロックから逓倍分周回路にて逓倍および／または分周して生成された受信クロックに基づき、前記撮像素子が撮像した前記画像を前記スコープ先端部から受信するデータ受信回路を備えることを特徴とする電子内視鏡装置である。
また、本発明は、前記伝送クロックから第２逓倍分周回路にて逓倍および／または分周して生成された送信クロックに基づき、前記撮像素子が撮像した前記画像を前記画像プロセッサ部に送信するデータ送信回路を備え、前記送信クロックと前記受信クロックは、周波数が等しいことを特徴とする電子内視鏡装置である。